(57)【要約】【課題】  容器を立掛けたり裏返しした際に脚部の内側に水が溜まるようなことがないようにする。【解決手段】  脚部３に該脚部３の内側と外側を連通する連通部８を等間隔に複数設けると共に、前記連通部８は通水可能に設けられている。連通部８の下部９は脚部３の下部を開口するように切り欠いて設けられ、連通部８の上部10は天板２の下面４に設けられるようになっている。水洗等の後に皿１を立掛けたり、裏返しすることにより脚部３の内側に溜まっている水をいずれかの連通部８を通して水切りを良好に行うことができる。また連通部８の高さｈを可及的に大きくできる。【選択図】図１
0003102098.tif 000002
【実用新案登録請求の範囲】
【請求項１】
食品を収容する容器本体の下面に支持用の脚部を設けると共に、前記容器本体の中央を中心として前記脚部は平面円環状に設けられた食品収容用容器において、前記脚部に該脚部の内側と外側を連通する連通部を等間隔に複数設けると共に、前記連通部は通水可能に設けられていることを特徴とする食品収容用容器。
【請求項２】
前記連通部の下部は前記脚部の下部を開口するように切り欠いて設けられ、前記連通部の上部は前記容器本体の前記下面に設けられることを特徴とする請求項１記載の食品収容用容器。
【請求項３】
前記連通部の前記環状方向の円弧長さをそれぞれ同じに形成し、かつ前記連通部を３箇所以上形成したことを特徴とする請求項１又は２記載の食品収容用容器。
【請求項４】
前記容器本体は平面円形であり、前記下面は前記中央を中心として外側へ次第に高く設けられることを特徴とする請求項１〜３のいずれか１項に記載の食品収容用容器
【請求項５】
前記下面における前記脚部の内側に容器識別部を設けたことを特徴とする請求項１〜４のいずれか１項に記載の食品収容用容器。
【考案の詳細な説明】
【技術分野】
【０００１】
本考案は、食品を載置したり挿入等して収容するための皿、茶碗或いは丼などの食品収容用容器に関するものである。
【背景技術】
【０００２】
平面が円形の寿司皿をチェーン部材のスラット部に載置し、モータ駆動のスプロケットを作動させて、このスプロケットに前記チェーン部材のローラを順次係合し、チェーン部材、ひいてはスラット部は循環搬送路に沿って移動することができる飲食物供給用循環型搬送装置が公知である（例えば、特許文献１）。
【０００３】
また皿に関して、天板と脚板とで断面倒コ字状に形成され、天板の上面が外周に縁部が形成されて囲繞され皿部を形成し、さらに脚板の下縁に凹部が形成された食品用収容皿が公知である（例えば、特許文献２）。
【特許文献１】実用新案登録第３０８７６８８号公報
【特許文献２】実用新案登録第３０９１０７７号公報
【考案の開示】
【考案が解決しようとする課題】
【０００４】
前記循環型搬送装置に利用される皿は一度に大量の数が使用されるので、使用後の皿は皿洗浄装置により洗浄される。そして、洗浄においては皿に水を噴射したり、或いは回転ブラシによって皿の汚れが除去され、その後に洗浄された皿は立掛けられたり裏返されたりして水切りするようにしている。
【０００５】
しかしながら、例えば前記平面が円形の皿においては、一般的に食品載置用の天板の下面に支持用の脚部が平面円環状に設けられているが、このような平面円環状の脚部を設けた皿を洗浄した後に、この皿を立掛けたり裏返しして水切りした際には、水が脚部の内側に残ってしまい、この結果脚部の内側の水切りができないという問題がある。
【０００６】
このような問題を解決する手段として例えば特許文献２のように天板の下方において断面倒コ字状の開口部の他に凹部によって脚部内側の水を排出できるようにすることが考えられるが、このようなものにおいては、断面倒コ字状の開口部や凹部が等間隔に設けられていないので、例えば脚板を横向きにして皿を立掛けた際には水が脚板の内側に水が残ってしまうという問題がある。
【０００７】
解決しようとする問題点は、食品を収容する容器本体の下面に支持用の脚部を設けると共に、前記容器本体の中央を中心として前記脚部は平面円環状に設けられた食品収容用容器において、容器を立掛けたり裏返しした際に脚部の内側に水が溜まるようなことがないようにする点である。
【課題を解決するための手段】
【０００８】
請求項１の考案は、食品を収容する容器本体の下面に支持用の脚部を設けると共に、前記容器本体の中央を中心として前記脚部は平面円環状に設けられた食品収容用容器において、前記脚部に該脚部の内側と外側を連通する連通部を等間隔に複数設けると共に、前記連通部は通水可能に設けられていることを特徴とする食品収容用容器である。
【０００９】
請求項２の考案においては、前記連通部の下部は前記脚部の下部を開口するように切り欠いて設けられ、前記連通部の上部は前記容器本体の前記下面に設けられることを特徴とする請求項１記載の食品収容用容器である。
【００１０】
請求項３の考案は、前記連通部の前記環状方向の円弧長さをそれぞれ同じに形成し、かつ前記連通部を３箇所以上形成したことを特徴とする請求項１又は２記載の食品収容用容器である。
【００１１】
請求項４の考案は、前記容器本体は平面円形であり、前記下面は前記中央を中心として外側へ次第に高く設けられることを特徴とする請求項１〜３のいずれか１項に記載の食品収容用容器である。
【００１２】
請求項５の考案は、前記下面における前記脚部の内側に容器識別部を設けたことを特徴とする請求項１〜４のいずれか１項に記載の食品収容用容器である。
【考案の効果】
【００１３】
請求項１の考案によれば、水洗等の後に容器本体を立掛けたり、裏返しすることにより脚部の内側に溜まっている水をいずれかの連通部を通して外側に排出して水切りを行うことができる。
【００１４】
請求項２の考案によれば、連通部における高さを可及的に大きくできるので、排水性能を高めることができる。
【００１５】
請求項３の考案によれば、それぞれの連通部の円弧長さは同じに形成されると共に、それぞれの脚部の円弧長さも同じに形成されるので、中央を中心として脚部及び連通部は点対称となってあらゆる方向の排水を均一に行うことができる。しかも、連通部は３箇所以上設けられるので容器を立て掛けたときでもいずれかの連通部によって良好に排水することができるようになる。
【００１６】
請求項４の考案によれば、下面は傾斜しているので水が溜まりにくくなって排水性を均一に向上することができる。
【００１７】
請求項５の考案によれば、容器本体の下面に容器識別部を設けておいても、脚部の内側の排水性が高いので容器識別部の水分による破損などを極力防止することができる。
【考案を実施するための最良の形態】
【００１８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１９】
図１〜図３は実施例１を示しており、食品収容用容器たる皿１は図示しない食品を載置して収容する容器本体としての天板２の下面に支持用の脚部３を設けている。天板１は平面円形であり、また脚部３は天板２の中央ｘを中心として平面円環状に設けられている。さらに天板２の下面４は前記中央ｘを中心としてテーブルなどの設置面５を基準として外周側へ次第に高さｈを高く設けられる。
【００２０】
また、下面４の中央ｘ、すなわち脚部３の内側には皿識別部６が設けられている。この皿識別部６は例えばタグ等と称せられる電磁誘導によって情報の読み取り及び書き込みができる非接触・無電池式データキャリアによって形成されるものである。そしてデータキャリアの情報は情報の読み取り及び書き込み用の図示しないアンテナを介して読み取り及び書き込みができるようになっている。そして、実施例では皿識別部６は蓋板７により封入されている。尚、皿識別部は光学的に読み取りを行う図示しないバーコードなどによって形成してもよい。
【００２１】
前記脚部３には該脚部３の内側、すなわち中央ｘ側とその外側を連通する連通部８を複数設けており、これら連通部８の中心ｙ相互間の長さを等しくするか或いはほぼ等しくして連通部８を等間隔に設けている。この連通部８の下部９は脚部３の下部を開口するように切り欠いて設けられ、連通部８の上部10は天板２の下面４に設けられて通水可能に設けられている。連通部８は３箇所以上に設けられるものであり、実施例では４箇所に設けている。さらに、それぞれの連通部８の環状方向の円弧長さをそれぞれ同じに形成している。すなわち連通部８における下部９間の円弧長さａをそれぞれ同じに形成し、同様に連通部８における上部10間の円弧長さｂをそれぞれ同じに形成している。このため、脚部８の環状方向の円弧長さｃ,ｄもそれぞれ同じに形成されている。
【００２２】
次に前記構成についてその作用を説明する。使用にあっては天板２上に寿司等食品を載置する。そして例えば図示しない循環型搬送装置により皿１を循環して客に寿司等食品を提供する。この皿１が搬送装置により循環するとき、皿識別部６の情報が読み取られ、さらには書き込みされて例えば賞味限度時刻が過ぎた食品を皿１と共に回収する。
【００２３】
一方、使用後の皿１或いは回収された皿１は図示しない洗浄装置に収容されて水洗などが行われてブラシなどを使用して洗浄される。洗浄された皿１は水切りのために立て掛けられたり、或いは裏返しされる。この際、脚部３の内側に溜まった水は複数等間隔に設けられた連通部８のいずれかを介して外側に排出されて、脚部３の内側に水が残らないようになる。特に皿１を裏返ししたときには、天板２の下面４は前記中央ｘを中心とし設置面５を基準として外周側へ次第に高さｈを高く設けられるようになっているので、水が下面４の傾斜に沿って中央ｘから連通部８を介して外側に排出できる。
【００２４】
以上のように、前記実施例では請求項１に対応して脚部３に該脚部３の内側と外側を連通する連通部８を等間隔に複数設けると共に、前記連通部８は通水可能に設けられていることにより、水洗等の後に皿１を立掛けたり、裏返しすることにより脚部３の内側に溜まっている水をいずれかの連通部８を通して水切りを良好に行うことができる。
【００２５】
また、前記実施例では請求項２に対応して前記連通部８の下部９は前記脚部３の下部を開口するように切り欠いて設けられ、前記連通部８の上部10は天板２の下面４に設けられるようになっているので、連通部８の高さｈを可及的に大きくでき、排水性能を高めることができる。
【００２６】
さらに、前記実施例では請求項３に対応して前記連通部８の前記環状方向の円弧長さａ,ｂをそれぞれ同じに形成することにより、中央ｘを中心として脚部３及び連通部８は点対称となってあらゆる方向の排水を均一に行うことができる。しかも、連通部８は３箇所以上、実施例では４箇所設けられるので皿１を立て掛けたとき、例えば連通部が１箇所であれるときは連通部が上向きであれば連通部を通して排水できず、連通部が２箇所であれば連通部が横向きであれば排水できないが、連通部８を３個所以上とすることで連通部８を通して良好に排水することができるようになる。
【００２７】
また、前記実施例では請求項４に対応して天板２は平面円形であり、そして下面４は前記中央ｘを中心として外側へ次第に高く設けられることにより、傾斜している下面により水切りの際水が溜まりにくくなって排水性を均一に向上することができる。
【００２８】
さらに、前記実施例では請求項５に対応して前記脚部３の内側に容器識別部６を設けたことにより、容器識別部６は排水性が高い部位に設けられるので水分による破損などを極力防止することができる。
【産業上の利用可能性】
【００２９】
以上のように本考案にかかる食品収容用容器は、皿以外に茶碗や丼などの用途にも適用できる。
【図面の簡単な説明】
【００３０】
【図１】本考案の実施例１を示す斜視図である。
【図２】本考案の実施例１を示す一部切り欠き正面図である。
【図３】本考案の実施例１を示す底面図である。
【符号の説明】
【００３１】
１  皿（食品収容用容器）
２  天板（容器本体）
３  脚部
４  下面
６  皿識別部
８  連通部
９  下部
10  上部
ａ,ｂ  円弧長さ
ｘ  中央
【図１】
0003102098.tif 000003
【図２】
0003102098.tif 000004
【図３】
0003102098.tif 000005